(57)【要約】【課題】通風抵抗が過大になることなく充分な通風量を確保し得る有効適切な隔離エリアへの前室設備を提供する。【解決手段】隔離エリア１への出入口の外側に配置された前室１１と、前室に通じる洗浄室１２と、洗浄室に通じる更衣室１３とにより構成され、洗浄室にエアシャワー装置１４を設置する。更衣室と外部との間に設けられた出入口、更衣室と洗浄室との間、洗浄室と前室との間、前室と隔離エリアとの間に設けられた出入口の少なくともいずれか１個所にエアカーテン２１を形成する。エアカーテン２１はエアシャワー装置１４により形成することもできる。【選択図】図２
2010071483.tif 000002
【特許請求の範囲】
【請求項１】
アスベスト等の有害物を取り扱うべく周囲より隔離されてその内部が負圧状態に維持される隔離エリアに付設され、該隔離エリアから外部への有害物の流出を防止しつつ、該隔離エリア内に作業員が出入りするための通路として機能するとともに、該隔離エリア内が負圧状態に維持されることにより生じている内外の差圧によって外部より隔離エリア内に流入する空気の流入経路としても機能する前室設備であって、
前記隔離エリアへの出入口の外側に配置された前室と、該前室に通じる洗浄室と、該洗浄室に通じる更衣室とにより構成されて、前記洗浄室に、作業員に空気流を吹き付けることによって作業員に付着している有害物を吹き飛ばしかつ吸引して除去するためのエアシャワー装置を設置し、
前記更衣室と外部との間に設けられた出入口、前記更衣室と前記洗浄室との間、前記洗浄室と前記前室との間、前記前室と前記隔離エリアとの間に設けられた出入口の少なくともいずれか１個所にエアカーテンを形成することを特徴とする隔離エリアへの前室設備。
【請求項２】
前記洗浄室に設置した前記エアシャワー装置によって前記エアカーテンを形成することを特徴とする請求項１記載の隔離エリアへの前室設備。
【発明の詳細な説明】
【技術分野】
【０００１】
本発明は、アスベスト等の有害物を取り扱うために周囲より隔離されてその内部において有害物の除去作業や無害化処理等の各種作業を行うための隔離エリアに付設される前室設備に関する。
【背景技術】
【０００２】
アスベストが使用されている建物を解体撤去したり、建物内においてアスベストの除去作業を実施するような場合には、アスベストが周囲に飛散することを確実に防止する必要がある。そのため、従来一般には作業領域をシート材により区画して周囲より気密裡に隔離するとともに、その隔離エリアの内部から強制排気を行って隔離エリア内を常に負圧に維持することにより、アスベストが隔離エリア外に流出したり漏出することを防止するようにしている。
【０００３】
その場合、作業員が外部から隔離エリア内に出入りするための出入口には、その出入口を通してアスベストが不用意に流出したり漏出することを防止できるばかりでなく、隔離エリア内の負圧状態を維持しつつ作業員が出入りできるような機能が必要であり、したがって従来一般にはそのような機能を備える前室設備を隔離エリアへの出入口の外側に設置するようにしている。
図４〜図５はそのための従来の前室設備５の一例を示すものである。これは特許文献１に示されている石綿除去作業者用クリーンルームと同様のものであって、隔離エリア１への出入口の外側に前室１１、洗浄室１２、更衣室１３の３室を区画形成するとともに、洗浄室１２にエアシャワー装置１４を設置したものである。  
【０００４】
この前室設備５では、作業者が外部から隔離エリア１に入る際には、更衣室１３で作業衣に着替えるとともにマスクやメガネ等の保護具を装着してから、洗浄室１２、前室１１を通って隔離エリア１に入ることになる。
また、作業者が隔離エリア１から外部に出る際には、まず前室１１において保護具を装着したまま作業衣を脱ぎ、洗浄室１２でエアシャワーを浴びて身体に付着しているアスベストを払い落とし吹き飛ばして吸引除去したうえで、更衣室１３で保護具を外して外部に出るという手順を踏むことになる。
勿論、前室１１で脱いだ作業衣にはアスベストが付着しているのでそれは別途回収されて清浄化され、エアシャワーにより払い落とされ吹き飛ばされたアスベストはエアシャワー装置１４が備えるフィルターあるいは別途備えられる適宜のフィルターにより捕集されて回収されることになる。
【０００５】
そして、上記の前室設備５は作業員の出入りのための単なる通路としてのみならず、外部から隔離エリア１内への空気の流入経路としても機能し、それによりこの前室設備１０を通してのアスベストの流出を防止し、かつ隔離エリア１内を適正な負圧に維持する機能も併せ持つものである。
すなわち、隔離エリア１内には負圧除じん機２が設置されていて、その負圧除じん機２によって隔離エリア１内から常時強制排気がなされることにより隔離エリア１内は常に適正な負圧に維持されるのであるが、その排気量に見合う空気が前室設備５を通して隔離エリア１内に常に吸引されて流入するようになっており、したがって前室設備５内においては隔離エリア１から外部に向かうような逆流が生じる余地がなく、それ故にこの前室設備５を通してのアスベストの流出や漏出が確実に防止されるようになっている。
また、前室設備５を通して流入する流入外気に対して適度の圧力損失を与えるべく、図４に示すように隔離エリア１に設けられている出入口に加えて前室設備５の各室間および更衣室１３にもそれぞれ出入口が設けられており、かつそれらの出入口にはそれぞれビニールシート等の柔軟なシート材による簡易扉３が設けられている。それらの簡易扉３はそれぞれ内外の差圧に応じて自ずと内側に適度に開かれる（より正確には、風圧によりあおられて内側になびくことによって自ずと若干の隙間が形成される）ようになっており、それにより外部からこの前室設備５を通って隔離エリア１に流入する空気流には適度の通風抵抗すなわち圧力損失が生じ、その圧力損失相当分の負圧が隔離エリア１内に維持されるようになっている。
【特許文献１】特開２００７−３０３１６５号公報
【発明の開示】
【発明が解決しようとする課題】
【０００６】
ところで、上記のように前室設備５を構成している各室間にそれぞれビニールシート等による簡易扉３を設置することではそれら簡易扉３が４重に設けられることから、全体として圧力損失が過大になってしまって隔離エリア１に充分な外気が流入し得ない事態も想定される。そして、その場合には隔離エリア１内の負圧が大きくなりすぎて隔離エリア１自体が崩壊してしまう懸念があるし、また作業エリア内の換気回数が不足して内部の清浄度が低下したり、作業員に対する酸素供給量が減少してしまうことも想定される。
【０００７】
上記事情に鑑み、本発明は通風抵抗が過大になることなく、また作業員の出入りに支障を来たすこともなく、充分な通風量を確保し得る有効適切な前室設備を提供することを目的としている。
【課題を解決するための手段】
【０００８】
本発明はアスベスト等の有害物を取り扱うべく周囲より隔離されてその内部が負圧状態に維持される隔離エリアに付設され、該隔離エリアから外部への有害物の流出を防止しつつ、該隔離エリア内に作業員が出入りするための通路として機能するとともに、該隔離エリア内が負圧状態に維持されることにより生じている内外の差圧によって外部より隔離エリア内に流入する空気の流入経路としても機能する前室設備であって、前記隔離エリアへの出入口の外側に配置された前室と、該前室に通じる洗浄室と、該洗浄室に通じる更衣室とにより構成されて、前記洗浄室に作業員に空気流を吹き付けることによって作業員に付着している有害物を吹き飛ばしかつ吸引して除去するためのエアシャワー装置を設置し、前記更衣室と外部との間に設けられた出入口、前記更衣室と前記洗浄室との間、前記洗浄室と前記前室との間、前記前室と前記隔離エリアとの間に設けられた出入口の少なくともいずれか１個所にエアカーテンを形成することを特徴とする。
【０００９】
本発明においては、前記洗浄室に設置されている前記エアシャワー装置によって前記エアカーテンを形成するようにしても良い。
【発明の効果】
【００１０】
本発明によれば、従来においては前室設備を構成している各室間に設けられているビニールシート等による簡易扉の一部もしくは全てをエアカーテンに置換することにより、そのエアカーテンによって前室設備を通しての有害物の外部への流出を防止しつつ隔離エリアに流入する空気流の通風抵抗の低減が可能であり、したがって隔離エリアへの充分な通風量が確保されて隔離エリア内が過度に負圧状態となったり、隔離エリア内の空気清浄度が低下する事態を有効に防止することができる。
特に、本発明においては洗浄室に設置されているエアシャワー装置をエアカーテン装置としても機能させることが可能であって、そのエアシャワー装置からの送風量の一部を利用してエアカーテンを形成することとすれば、格別のエアカーテン装置を必要としないので設備全体の複雑化およびコストアップを回避することができる。
【発明を実施するための最良の形態】
【００１１】
図１〜図３は本発明の一実施形態である前室設備１０を示すものである。これは図４〜図５に示した従来の前室設備５を改良したものであり、以下で説明する点を除いて基本的には従来のものと同様に設置されて同様に使用されるものであるので、両者に共通の要素には共通の符号を付して説明を簡略化する。
【００１２】
本実施形態の前室設備１０は、従来のものと同様に前室１１、洗浄室１２、更衣室１３からなるものであって、各室間にそれぞれ出入口が設けられて全体として４重の出入口を有し、かつ隔離エリア１の内外に生じる差圧によって外部空気を隔離エリア１に流入させるための空気流入経路としても機能するものであるが、本実施形態の前室設備１０においては外部と更衣室１３との間にエアカーテンを設けた点が特徴的である。
【００１３】
すなわち、従来においては４重の出入口の全てにビニールシート等による簡易扉３を設けていたのに対し、本実施形態では図２に示すように隔離エリア１への出入口と、前室１１と洗浄室１２の間、および洗浄室１２と更衣室１３との間にはそれぞれ同様にビニールシート等による簡易扉３を設けているものの、外部と更衣室１３との間には簡易扉を省略して単に開口部を確保するに留め、そこにはエアカーテン２１を形成するようにしている。
【００１４】
そして、本実施形態では洗浄室１２に設置されているエアシャワー装置１４からの送風量の一部を利用してエアカーテン２１を形成するようにしている。
すなわち、本実施形態におけるエアシャワー装置１４は、図３に示すように送風機３０によってノズル３１から洗浄空気（つまりエアシャワー）を洗浄室１２内に吹き出して作業員に付着している有害物（アスベスト）を吹き飛ばし、かつ洗浄室１２の底部から空気を吸い込んで循環させることにより、その循環空気中の有害物をプレフィルター３２およびHEPAフィルター３３により除去するものであるが、本実施形態ではそのエアシャワー装置１４にボリュームダンパー３４を介してダクト３５を接続し、エアシャワー装置１４から送風される洗浄空気の一部を更衣室１３への出入口としての開口部の直上位置に設置したラインデフューザー３６に供給してそこから下向きに吹き出してエアカーテン２１を形成するようにされている。
エアカーテン２１を形成するための吹き出し空気流の流速は１〜１０m/s程度の範囲内で適正に設定すれば良く、それに必要な送風量はエアシャワー装置１４の送風機３０による送風量とボリュームダンパー３４の調節により確保すれば良い。
勿論、エアシャワー装置１４の総送風量は、ノズル３１から洗浄空気（エアシャワー）として吹き出す送風量と、エアカーテン２１を形成するために必要な送風量の双方を見込んで設定しておけば良く、必要に応じてノッチ切り替えあるいはインバータによりそれぞれの所要送風量を最適に制御すれば良い。
【００１５】
このように、外部に通じている更衣室１３への出入口としての開口部に簡易扉３に代えてエアカーテン２１を形成したことにより、そこでの通風抵抗は殆どなくなり、したがって前室設備１０全体としての通風抵抗は低下して隔離エリア１に流入する空気量を支障なく確保することができ、それにより隔離エリア１内が過度に負圧になったり、隔離エリア１に要求される換気回数が不足することが防止され、それに起因する隔離エリア１の崩壊や内部清浄度の低下を未然に防止することができる。
【００１６】
勿論、ラインデフューザー３６からエアカーテン２１として下向きに吹き出された空気流は、前室設備１０内を隔離エリア１側に向かって流れる空気流にのって自ずと隔離エリア１側に向かって流れていって更衣室１３から洗浄室１２に流入し、その一部は隔離エリア１に流入するものの大半はエアシャワー装置１４に吸い込まれてプレフィルター３２およびHEPAフィルター３３により有害物が除去されたうえで循環するから、隔離エリア１内から有害物が前室設備１０を通して外部に放出されたり飛散することはない。
また、ビニールシート等による簡易扉３を省略してエアカーテン２１に置換したことにより、作業員の出入りに支障を来すことはないばかりか、そのつど簡易扉３を開閉する手間が省けるし、見通しも良くなる利点もある。
【００１７】
なお、上記実施形態では４重の出入口のうち最も外部側の１個所にエアカーテン２１を形成するものとしたが、それに限ることはなく、４重の出入口のうちの少なくともいずれか１個所をエアカーテン２１とすることで上記と同様の通風抵抗低減効果が得られるから、エアカーテン２１の形成位置は任意に設定すれば良い。
また、上記実施形態のようにエアカーテン２１を１個所のみとすることなく任意の複数個所に形成することでも良く、４個所の出入口の全てにエアカーテン２１を形成して全て簡易扉３を省略することも不可能ではない。但し、隔離エリア１内での作業が長期間にわたるような場合において作業終了後にエアシャワー装置１４や負圧除じん機２を停止してしまう場合には、当然にエアカーテン２１が形成されないし、前室設備１０を通して外部への有害物の漏出も想定されるから、その際にはエアカーテン２１に代わる適宜の密閉手段たとえばエアタイトな扉や切れ目のない丈夫なビニールシート等で開口部を密閉すべきである。
【００１８】
また、上記実施形態のようにエアシャワー装置１４を利用してエアカーテンを形成する、つまりエアシャワー装置１４をエアカーテン装置と兼用することが好ましいが、それに限るものでもなく、エアカーテン２１を形成するための専用のエアカーテン装置（HEPAフィルタ等の高性能なフィルタを具備したもの）をエアシャワー装置１４とは別に設置することでも勿論良い。
【図面の簡単な説明】
【００１９】
【図１】本発明の実施形態である前室設備を備えた隔離エリアの概略構成を示す全体平面図である。
【図２】同、前室設備の立断面図（図１におけるII−II線視図）である。
【図３】同、エアカーテンを形成するためのエアシャワー装置の概略構成図である。
【図４】従来一般の前室設備を備えた隔離エリアの概略構成を示す全体平面図である。
【図５】同、前室設備の立断面図（図４におけるV−V線視図）である。
【符号の説明】
【００２０】
１  隔離エリア
２  負圧除じん機
３  簡易扉
１０  前室設備
１１  前室
１２  洗浄室
１３  更衣室
１４  エアシャワー装置
２１  エアカーテン
３０  送風機
３１  ノズル
３２  プレフィルター
３３  HEPAフィルター
３４  ボリュームダンパー
３５  ダクト
３６  ラインデフューザー
【図１】
2010071483.tif 000003
【図２】
2010071483.tif 000004
【図３】
2010071483.tif 000005
【図４】
2010071483.tif 000006
【図５】
2010071483.tif 000007